(57)【要約】  タイル式フラット・パネル照明システム（65）は、複数のフラット・パネル発光ユニット（5）を備えていて、各ユニットは、発光領域と、このユニットの外部からアクセスできる少なくとも2対の第1および第2の電気的コンタクトとを備えることと、その対のうちの第1の電気的コンタクトがこのユニット内で互いに電気的に接続され、その対のうちの第2の電気的コンタクトがこのユニット内で互いに電気的に接続されていて、上記発光領域が、その互いに接続された第1の電気的コンタクトおよび互いに接続された第2の電気的コンタクトに電気的に接続されていることを特徴とする。複数のユニットは、各ユニットの1つ以上の隣り合った縁部に位置していて外部からアクセスできる対になった第1および第2の電気的コンタクトを通じて電気的に互いに接続されている。
2007536708.tif 000002
【特許請求の範囲】
【請求項１】
タイル式フラット・パネル照明システムで使用するフラット・パネル発光ユニットであって、このユニットが、発光領域と、このユニットの外部からアクセスできる少なくとも2対の第1および第2の電気的コンタクトとを備えることと、その対のうちの第1の電気的コンタクトがこのユニット内で互いに電気的に接続され、その対のうちの第2の電気的コンタクトがこのユニット内で互いに電気的に接続されていて、上記発光領域が、その互いに接続された第1の電気的コンタクトおよび互いに接続された第2の電気的コンタクトに電気的に接続されていることを特徴とするフラット・パネル発光ユニット。
【請求項２】
請求項1に記載のフラット・パネル発光ユニットを複数個備えるタイル式フラット・パネル照明システムであって、各ユニットが所定のサイズと形状であることと、その複数のユニットが、各ユニットの隣り合った1つ以上の縁部に位置する外部からアクセス可能な第1および第2の電気的コンタクトの対を通じて互いに電気的に接続されていることを特徴とする照明システム。
【請求項３】
隣り合った上記ユニットが、これらユニットの隣り合った1つ以上の縁部の所定の位置にある導電性突起によって電気的に互いに接続されている、請求項2に記載の照明システム。
【請求項４】
隣り合った上記ユニットが、これらユニットの隣り合った1つ以上の縁部または面の所定の位置にあるスプリング・メタル導電体によって電気的に互いに接続されている、請求項2に記載の照明システム。
【請求項５】
少なくとも1つのユニットの縁部に沿って位置する終端ユニットをさらに備え、その終端ユニットが、互いに接続された複数のユニットから電源へのインターフェイスを提供する、請求項2に記載の照明システム。
【請求項６】
上記終端ユニットが、電気的に互いに接続された発光ユニットのための制御装置または電力調節装置を備える、請求項5に記載の照明システム。
【請求項７】
それぞれのフラット・パネル発光ユニットが基板とカバーを備えており、そのカバーは、その基板上に、その基板のうちで隣り合った2つの縁部を含む1つの領域と、そのカバーのうちで隣り合った2つの縁部を含む1つの領域とが露出するように配置されていて、そのそれぞれの領域が、外部からアクセスできる第1および第2の電気的コンタクトに対して露出している、請求項2に記載の照明システム。
【請求項８】
それぞれのフラット・パネル発光ユニットが、フレームに取り付けられたフラット・パネル発光領域からなり、第1および第2の電気的コンタクトからなる上記対がそのフレームの外側縁部上に位置することにより、隣り合ったユニットのフレームが隣り合ったフラット・パネル発光領域の間で電流を伝送する、請求項2に記載の照明システム。
【請求項９】
上記フレームが、電気的コンタクトに加え、隣り合ったユニット間の機械式取り付けと整列を実現する、請求項8に記載の照明システム。
【請求項１０】
上記フラット・パネル発光ユニットの少なくとも1つが制御装置を備える、請求項2に記載の照明システム。
【請求項１１】
制御装置を備える上記フラット・パネル発光ユニットが複数の発光領域からなり、その制御装置によって各発光領域を独立に制御できる、請求項10に記載の照明システム。
【請求項１２】
請求項10に記載の照明システムにおいて、複数の上記フラット・パネル発光ユニットが制御装置を備えていて、この照明システムがさらに、信号を1つの制御装置から、隣接するフラット・パネル発光ユニットの制御装置に伝送することを可能にする導電体を備える、照明システム。
【請求項１３】
制御装置を備える複数の上記フラット・パネル発光ユニットそれぞれのフラット・パネル発光領域が、複数のフラット・パネル発光サブ領域からなり、その制御装置によって各サブ領域を独立に制御できる、請求項12に記載の照明システム。
【請求項１４】
隣り合った少なくとも2つのユニットを接続する外部コネクタをさらに備え、その外部コネクタが、そのコネクタに接続されたフラット・パネル発光ユニット間で電流を伝達することができる、請求項2に記載の照明システム。
【請求項１５】
上記外部コネクタが、電気的コンタクトに加え、少なくとも2つのユニットの機械式取り付けと整列を実現する、請求項14に記載の照明システム。
【請求項１６】
上記外部コネクタが可撓性を持つ、請求項14に記載の照明システム。
【請求項１７】
上記外部コネクタがヒンジ式である、請求項14に記載の照明システム。
【請求項１８】
上記外部コネクタが回転式接続を提供する、請求項14に記載の照明システム。
【請求項１９】
上記外部コネクタが、1つ以上のパネルを光らせるのに必要な電力を伝送することのできる導体を通じて第2の外部コネクタまたは終端ユニットに接続されている、請求項14に記載の照明システム。
【請求項２０】
上記ユニットが可逆的な方式を利用して上記コネクタに固定されている、請求項14に記載の照明システム。
【請求項２１】
上記ユニットが永続的に上記コネクタに固定されている、請求項14に記載の照明システム。
【請求項２２】
少なくとも1つのユニットの少なくとも1つの縁部上の露出したコンタクトを覆う絶縁された縁部保護部材をさらに備える、請求項2に記載の照明システム。
【請求項２３】
上記発光ユニットのうちの1つがバッテリーを備える、請求項2に記載の照明システム。
【請求項２４】
上記発光ユニットの形状が、長方形、三角形、六角形のいずれかである、請求項2に記載の照明システム。
【請求項２５】
異なる色の光を出す複数の発光ユニットを備える、請求項2に記載の照明システム。
【請求項２６】
上記発光ユニットのうちの少なくとも1つが複数の発光領域からなり、各発光領域が、1種類以上の色の光のうちの1つを発生させる、請求項2に記載の照明システム。
【請求項２７】
上記複数の発光ユニットが一平面内で互いに接続されている、請求項2に記載の照明システム。
【請求項２８】
上記発光ユニットが互いにある角度をなして接続されていて、その発光ユニット群が1つの平面内に収まっていない、請求項2に記載の照明システム。
【請求項２９】
上記発光ユニットが相互に接続されて区画化された曲線を形成している、請求項28に記載の照明システム。
【請求項３０】
上記発光ユニットが互いに接続されて幾何学的物体の面を形成している、請求項28に記載の照明システム。
【請求項３１】
各ユニットが、並列な構成にされたユニットの1つ以上の隣り合った縁部に位置する互いに接続された第1および第2の電気的コンタクトに直接接続された導電体を備える、請求項2に記載の照明システム。
【請求項３２】
上記複数のユニットの1つが故障して光を出さないとき、上記導電体が、隣接する互いに接続されたユニットに電力を供給する、請求項31に記載の照明システム。
【請求項３３】
複数のユニットがアレイとして配置されている、請求項2に記載の照明システム。
【請求項３４】
複数ユニットからなる上記アレイがエリア照明装置を形成する、請求項33に記載の照明システム。
【請求項３５】
上記エリア照明装置が、天井、壁面、床いずれかの一部を形成している、請求項34に記載の照明システム。
【請求項３６】
隣り合ったユニットを接続する1つ以上のコネクタをさらに備えていて、複数ユニットからなる上記アレイが折り畳まれてコンパクトな携帯式の構成にされる、請求項34に記載の照明システム。
【請求項３７】
複数ユニットからなる上記アレイが電源を備える、請求項36に記載の照明システム。
【請求項３８】
少なくとも1つのコネクタにバッテリーが含まれている、請求項36に記載の照明システム。
【請求項３９】
個々のフラット・パネル発光ユニットが可撓性を有する、請求項2に記載の照明システム。
【請求項４０】
可撓性のある個々の上記ユニットに取り付けられた堅固なフレームをさらに備える、請求項39に記載の照明システム。
【請求項４１】
導電体と、コンタクトと、複数のフラット・パネル発光ユニットを保持する手段とを備える背面プレートをさらに備え、隣り合ったユニットが、その背面プレート内に設けられた導電体とコンタクトによって電気的に互いに接続されている、請求項2に記載の照明システム。
【請求項４２】
上記背面プレートが、上記フラット・パネル発光ユニットの見え方を制御する制御装置と導電体を備える、請求項41に記載の照明システム。
【請求項４３】
電気的に互いに接続された上記フラット・パネル発光ユニットが、2つ以上の電気回路に接続されている、請求項2に記載の照明システム。
【請求項４４】
電気的に互いに接続されたフラット・パネル発光ユニットを2セット備え、各セットは、別の電気回路に接続されていて、上記2つのセットが機械式に接続されている、請求項2に記載の照明システム。
【請求項４５】
複数のフラット・パネル発光ユニットを備えるタイル式フラット・パネル照明システムであって、各フラット・パネル発光ユニットがあらかじめ決められたサイズと形状であることと、少なくとも2つのフラット・パネル発光ユニットが制御装置を備えていて、上記複数のフラット・パネル発光ユニットが、各ユニットの1つ以上の隣り合った縁部に位置するコンタクトを通じて互いに接続されていることと、その相互接続により制御装置間で信号の伝達がなされることを特徴とする照明システム。
【発明の詳細な説明】
【技術分野】
【０００１】
本発明は、フラット・パネル光源に関するものであり、より詳細には、複数のフラット・パネル光源を電気的に接続する構造に関する。
【背景技術】
【０００２】
フラット・パネル光源は新しい技術であるため、多くの制約があって商業製品としての使用が妨げられている。例えば現在の製造技術では、故障処理の問題が原因で大きなパネルを経済的に製造する能力に制約がある。製造管理と在庫管理の問題も、利用できるフラット・パネル光源のサイズの制約につながる。さらに別の制約は、仕切り材料と基板材料に十分な可撓性がないことによって生じる。この制約から生じる1つの帰結は、特別ないろいろな形状に合わせられるランプを簡単には製造できないことである。
【０００３】
ソケットと口金のための規格がよく確立された市販されている既存の光源（例えば白熱電球や蛍光灯）とは異なり、フラット・パネル光源には、電源に接続するための広く受け入れられている手段がない。アメリカ合衆国特許第6,565,231号には、フラット・パネル光源上のソケットとコンタクトからなるシステムに関する最初の記述がある。このシステムには、フラット・パネル光源の可能な構成の幅が非常に狭いという制約がある。
【発明の開示】
【発明が解決しようとする課題】
【０００４】
したがって、設計の柔軟性があって、大きなパネルや、非常にさまざまなサイズのパネルや、いろいろな形にすることのできるパネルが提供されるよう、フラット・パネル光源の設計を改善することが必要とされている。
【課題を解決するための手段】
【０００５】
本発明の一実施態様は、タイル式フラット・パネル照明システムで使用するフラット・パネル発光ユニットであって、このユニットが、発光領域と、このユニットの外部からアクセスできる少なくとも2対の第1および第2の電気的コンタクトとを備えることと、その対のうちの第1の電気的コンタクトがこのユニット内で互いに電気的に接続され、その対のうちの第2の電気的コンタクトがこのユニット内で互いに電気的に接続されていて、上記発光領域が、その互いに接続された第1の電気的コンタクトおよび互いに接続された第2の電気的コンタクトに電気的に接続されていることを特徴とするフラット・パネル発光ユニットに関する。本発明の別の一実施態様は、このようなフラット・パネル発光ユニットを複数個備えるタイル式フラット・パネル照明システムであって、各ユニットが所定のサイズと形状であることと、その複数のユニットが、各ユニットの隣り合った1つ以上の縁部に位置する外部からアクセス可能な第1および第2の電気的コンタクトの対を通じて互いに電気的に接続されていることを特徴とする照明システムに関する。本発明のさらに別の一実施態様は、複数のフラット・パネル発光ユニットを備えるタイル式フラット・パネル照明システムであって、各フラット・パネル発光ユニットがあらかじめ決められたサイズと形状であることと、少なくとも2つのフラット・パネル発光ユニットが制御装置を備えていて、上記複数のフラット・パネル発光ユニットが、各ユニットの1つ以上の隣り合った縁部に位置するコンタクトを通じて互いに接続されていることと、その相互接続により制御装置間で信号の伝達がなされることを特徴とする照明システムに関する。
【発明の効果】
【０００６】
本発明のさまざまな実施態様では相互接続と終端のシステムを備えた複数のフラット・パネル発光タイルからなるシステムが提供されるため、サイズの選択肢が多いだけでなく、三次元表面を作り出せる大きなフラット・パネル照明の組み立てが容易になる。本発明のタイル式フラット・パネル照明システムにより、新しいサイズごとの追加製造コストなしに、さまざまなサイズと形状のフラット・パネル照明を作ることができる。さらに、本発明により、三次元形状の発光体を作ることができる。このタイル式フラット・パネル照明システムは、大きなシステム内の故障した素子を除去して取り換える手段を設けることにより、大面積の光源を作る故障に強い手段も提供する。このシステムを利用すると、個々の素子を再構成して別の形状にすることができる。さらに、このシステムを利用すると、発光素子（タイル）とコネクタを永続的に組み合わせることにより、いろいろな照明製品も製造できる。
【発明を実施するための最良の形態】
【０００７】
図1に示したタイル式フラット・パネル照明システムの1つのタイル5は基板35を備えており、その上にコンタクト10が1セットと発光領域15が設けられている。この図は概略図であるが、当業者であれば、コンタクトがさまざまな形態にできることがよく理解できよう。例えば発光領域がOLEDである場合、コンタクトをOLEDデバイスのアノードとカソードの露出領域にすることができる。あるいはコンタクトをスプリング・メタルにし、それを発光領域に電気的に接続することができる。正方形のタイルが図示してあるが、タイルは、長方形、三角形、六角形、または他の任意の形状にすることが可能である。さらに、コンタクトは縁部の一部の上にだけ存在していてもよいが、タイル上には少なくとも2セットのコンタクトが存在している必要がある。複数セットのコンタクトが縁部の上に存在していて、より大きなタイルを複数のより小さなタイルに接続できるようになっていてもよい。発光領域は、複数の発光素子（例えばアメリカ合衆国特許第6,693,296号に開示されている独立したLEDやOLED）を備えることができる。
【０００８】
図2は、1つのタイル5内の電気的接続の概略図である。この図から、タイルの対向する縁部にあるコンタクト10が導電体70を通じて互いに接続され、電力を1つのタイルから次のタイルへと伝送できるようになっていることがわかる。発光領域（ここではOLED15として図示）を導電体に接続するにあたって、オープン状態で故障したデバイスが、タイルが電力を隣接するタイルに伝送する能力に影響を与えないようにされている。縁部に複数セットのコンタクトを備えるタイル、または辺の数が4つではないタイルにこの図式を一般化することは、当業者には明らかであろう。さらに、当業者であれば、同じ電気的性能を実現するのに他の回路構成を利用できることも理解できよう。
【０００９】
平面状に配置したタイルは、多彩な面（例えば天井、壁面、床など）の上に置くことで、環境エリア照明を提供すること、または装飾機能を担わせることができる。タイル5は、図3aに示したように完全なグリッド状に並べることができる。図3bは、グリッド内に空隙を残せることを示している。どちらの場合にも、タイルが図2に示したような電気的接続になっている場合には、隣り合ったタイルの間に電気的コンタクトを並べることで、タイル同士が並列に接続される。あるいは行または列を互いにずらしてさまざまな構成にすることができる。その具体例を図3cと図3dに示してある。図3cでは、別の電気的接続形式（図示せず）を利用してタイル同士を並列に接続している。
【００１０】
別の一実施態様では、タイル・アレイを2つ以上の電気回路に接続し、多数のタイルに十分な電力を供給する。タイル・アレイを部分に分割し、そのそれぞれを1つの回路だけに接続することができる。この場合、1つのアレイ内のタイルは、異なる回路に接続されたタイルとの間にタイル間電気的接続がない。そのような場合、タイルの一部と別の一部の間に挟まれた縁部には電気的コンタクトがない。あるいは互いに電気的に接続されたタイルからなるアレイを2つの独立した電気回路に接続することにより、その独立した2つの電気回路をタイル・アレイを通じて共通する1つの電気回路にすることができる。さまざまな実施態様では、機械式接続により複数のタイル群をより大きな一体化タイル・アレイにすることができる。そのとき各タイル群は、別の共通する1つの回路に接続される。
【００１１】
図3aと図3bにはさらに、複数のタイル5とターミネータ20からなるタイル式フラット・パネル・ランプ65が示してある。ターミネータは、電線25を通じてタイルと電源のインターフェイスとなる。ターミネータは、場合によっては他の制御部品（例えばオン-オフ・スイッチ、調光装置、または他の制御装置）を備えることができる。電源は、特にバッテリーの形態でターミネータの内部に設置することができる。さらに別の選択肢は、電力をターミネータに誘導カップリングさせる装置を備えることであろう。例えば壁面その他の面内の複数箇所に送信用誘導ループを埋め込むことができる。その場合には、受信用誘導ループをターミネータ20（または図12に関してあとで説明する背面プレート85）の中に組み込むことで、電力線またはバッテリーが不要になる。この組み合わせにより、使用する際の実質的な柔軟性が大きくなる。ターミネータは、場合によっては電力調節機能（例えばフラット・パネル光源のための安定器）を備えることができる。サイズや形状がさまざまなタイルを用いることで、本発明を利用して任意のパターンを作り出すことができる。電源を備えた、または備えていない2つ以上のターミネータがタイル・アレイに含まれるようにすることもできる。すなわちタイル・アレイは、1つ以上の機械式ターミネータ・デバイスを用いて複数の点で電源に接続することができる。製品の性質に応じ、タイル同士を永続的に接続することや、元通りにするのが容易な接続にして、故障したパネルを簡単に交換できるようにすることができる。
【００１２】
図4にはタイル5の一実施態様が示してあり、このタイルは、シール30によって互いに接合された基板35とカバー40からなる。基板とカバーは互いにずれており、コンタクト10が基板とカバーの両方で露出している。基板上のコンタクトは、反対側の縁部にあるカバー上のコンタクトと揃った位置にある。タイルは互いに隣接して並べられており、1つのタイルの基板上の露出したコンタクトが隣のタイルのカバー上の露出したコンタクトと重なって、1つのデバイスから次のデバイスへと電力を伝送する電気回路を形成している。これらコンタクトの揃え方は図1と図2に示したのと同じであることに注意されたい。OLEDの場合には、このようにすると、アノード層とカソード層を直接用いてコンタクトを形成し、隣り合ったタイル間を並列に電気的に接続することが排除される。このような場合には追加の導電体（図示せず）を使用し、このような実施態様における基板上の露出した適切なコンタクト同士を電気的に接続することで、並列な電気的接続が可能になる。
【００１３】
図5は別の実施態様であり、発光領域15が、その発光領域の外側まで延びたフレーム45によって囲まれている。フレームは、多彩な材料（例えばプラスチックやセラミック）で作ることができる。非導電性材料を用いると最も製造しやすいであろうが、必ずしもそうでなくてもよい。この実施態様では、フレームがコンタクト10を備えている。フレームは凹部領域75と凸部領域80を備えており、これら領域は、凸部領域を凹部領域に挿入することで電気的な接触が実現できるように設計されている。フレームは、電気的な接触を提供することに加え、機械式支持、整列、取り付けの機能も提供することができる。フレームは、さらに別の特徴も備えている。例えば、隣接したタイル同士を積極的に物理的な力でロックする手段や、フレームとタイルを支持体に取り付ける手段になる。フレーム化したタイルという方法は、発光媒体が可撓性を持っていたり、脆弱であったり、取り扱いが難しかったりする場合に特に適している可能性がある。可撓性のある基板上に製造した発光デバイスは、フレームを用いたシステムの利点を特に享受することができる。可撓性のあるフレームは、可撓性のあるOLEDに非常に適している。
【００１４】
図6は別の一実施態様に関する概略図であり、タイル5が制御装置50を備えている。制御装置インターフェイス51は、その制御装置の動作モードを決定する外部手段を提供する。制御装置インターフェイスは、多数ある形態のうちの任意のものが可能である。例えばタイルに固定されたスイッチまたは回転式ダイヤルにすることができる。インターフェイスは、TVのリモコンと同様のIRリモコンにすることも可能である。インターフェイスは、RFインターフェイスにすることもできる。インターフェイスは、センサーにすることもできる。例えば、周囲光の強度またはデバイスに入力される電圧のレベルを測定できるセンサーがある。制御装置を動作させることの効果はさまざまな形態を取りうる。具体的には、タイルを調光すること、プログラムされた時刻にインターフェイスを通じてタイルのオン・オフを切り換えること、プログラムした速度でインターフェイスを通じてタイルを明滅させること、タイルから出る光の色を変えること、センサー入力に応答してタイルの出力を調節することなどがある。
【００１５】
多彩な照明効果を利用することで、ムードを作り出したり、情報を伝達したり、感情的な反応を引き起こしたり、興味を刺激したり、光の近くにいる人にこれら以外の効果をもたらしたりすることができる。フラット・パネル固体光源（例えばLED、OLED、またはこの2つの組み合わせ）を利用すると、白熱電球や蛍光灯に関する現在の技術とそれに付随する制御装置を用いて可能なほぼあらゆる効果を実現できる。効果の具体例としては、大きなパネルまたはイルミネーションのある壁面を横断する勾配や、明滅光、移動するパターン、方向指示などの動画効果がある。他の効果としては、空間的、時間的な色や強度の変化がある。環境に応答する光もこのタイプに含まれる。その場合、ランプは、周囲光のレベル、空間の占領状態、時間に応答するほか、センサーで測定できる他のほぼすべての現象に応答する。照明効果は、劇場でのように直接プログラムして制御することもできる。光とそれに付随する効果が出現する場所としては、屋内、屋外、または内部から外部へと移り変わる領域が可能である。
【００１６】
図7は、制御装置を備えるタイルの別の一実施態様に関する概略図である。この実施態様では、制御装置50は、隣接するタイルの制御装置とコンタクト55を通じて通信することができる。通信用コンタクトまたは制御装置インターフェイスは、互いに隣接したタイルの通信を可能にすることに加え、命令をダウンロードすることを目的として、または他の入力を提供するため、外部コンピュータに接続することもできよう。他の入力としては例えば音楽信号がある。音楽信号は制御装置への入力として機能し、その音楽と同期したディスプレイを生成させる。この実施態様により、タイル間を連携して動作させるための手段が提供される。この実施態様では、図6の実施態様に関して説明した機能に加え、タイルの1つの行を横断して光を走査したり、連携して色を変化させたりといった効果も提供することができる。さらに、この実施態様により、グリッド状のタイルをプログラミングし、他のタイルの状態に基づいていろいろな現象を促進するといった洗練された挙動を提示する機会も提供される。このような挙動は、セル・オートマトンと呼ばれることがしばしばある。セル・オートマトンのよく知られている初期の一例は、コンウェイの生命ゲームである（参考：Martin Gardner、「数学ゲーム：ジョン・コンウェイの新しい一人ゲーム“生命”の奇妙な組み合わせ」、Scientific American、第223巻（1970年10月）、120〜123ページ）。制御装置を用いて作ったこのようなタイルからおもちゃまたは娯楽用デバイスを製造できることがしばしばある。制御装置が提供できる追加機能は、システム内の制御されるパネルまたは他のパネルの故障または欠陥を補償する特別な挙動である。例えば1つのパネルが故障したとき、残りのパネルが対応する制御装置からの命令によってより明るい光を出すことで、タイル式アレイ全体では一定の輝度出力が維持できよう。
【００１７】
図8は、制御装置を備えるタイルのさらに別の一実施態様に関する概略図である。この実施態様では、タイルが複数の発光領域15を備えていて、各発光領域を制御装置50によって独立にアクティブにできることが強調されている。したがってセル・オートマトンとして動作するように設計したタイル化フラット・パネル照明システムでは、オートマトンの複数のセルを単一のタイル上に製造することができる。これは、デバイスの目的が娯楽用デバイスまたはおもちゃである場合に特に重要である。この実施態様でも、多数のタイルを用いることでデバイスの組み立てが容易になる。
【００１８】
図9は、タイル化フラット・パネル照明システムの別の一実施態様に関する斜視図であり、タイル5が外部コネクタ60を通じて互いに接続されている。外部コネクタは、さまざまな材料で作ることができる。最も一般的な材料は、プラスチックやセラミックである。コネクタは、そのコネクタに接続された隣り合ったタイル間で電力と信号を伝送する手段を提供する。コネクタは、堅固でも、可撓性があっても、連結式でもよい。連結は、横方向、回転方向、または両方の組み合わせが可能である。コネクタは、電気的接続に加えて構造上の接続を提供するとともに、タイルの支持体にもなる。タイルのコネクタへの取り付けは取外し可能であるため、故障したタイルを交換すること、またはタイルを性質の異なるタイルと交換することができる。あるいは取り付けは、永続的なものにすることもできる。図10には、3つのタイル5が堅固なアングル式コネクタ60によって接続されている様子が図示してある。発光領域を作り出すのに利用できる技術が何であるかにより、電力をタイルの一辺から別の辺に伝えるための信頼性ある経路を提供するのが難しい可能性がある。多大なコストがかからないようにして信号導電体を提供することも難しい可能性がある。このような場合、電力または信号を伝える際の信頼性を大きくすること、またはコストをより少なくすることを目的とした別の方法を提供するため、コネクタ60に導電体61を取り付けることができる。別の場合には、高品質の導電体を、たとえ発光領域とは機能上の関係がなくとも、タイルに直接組み込むことができよう。図11では、コネクタが2つのタイルだけを接続しているのではないことに注意されたい。この場合には、各導電体60が4つのタイル5を接続している。さらに、この図は、コネクタを、電力線25を用いて電源に接続されるターミネータとして利用できることを示している。図3にすでに示したターミネータの場合と同様、このターミネータは電源（例えばバッテリー）を含むことができる。図11に示した構成では、両方のコネクタに電力線25を取り付けることにより、冗長性を持って電源がタイルに接続されている。システムが複数の電力経路を提供する能力を持っているため、コネクタまたはタイルにおける潜在的な故障に対する丈夫さが保証されることが、この構成からわかる。
【００１９】
本発明を利用し、照明面積を大きくすることができる。例えばタイル式フラット-パネル照明システムは、図3a〜図3dに示したように、平面状のタイル式照明面を提供することができる。あるいはこのシステムは、図10に示したように曲線状の区画群を提供することができる。図11に示してあるように、堅固で三次元的な幾何構造またはパターン（例えば立方体、四面体、またはその一部）をいろいろと形成することができる。タイル要素のいくつかを異なった色にすることで、美的に満足のゆく組み合わせの構造および形状にすることができる。
【００２０】
ここに示した実施態様の多くにおいて、タイル・アレイの縁部にあるコンタクトが露出したままになるため、電気的ショックの危険性がある。図13には、絶縁性縁部保護部材100が示してある。この絶縁性縁部保護部材は、1つ以上のタイルの縁部にあるコンタクトを覆う。この絶縁性縁部保護部材は、タイルの設計によっては電気的コンタクトを備えていなくてもよい。あるいはこの絶縁性縁部保護部材は、制御装置の電力用コンタクトまたは信号用コンタクトにとっての電気的端末を提供することもできる。電力用導電体または信号用導電体の端末は、タイルの縁部にある2つ以上のコンタクト間を電気的に接続することができる。絶縁性縁部保護部材を使用するというのは、アレイ縁部での電気的安全性を提供する唯一の手段ではない。システムでは、アレイ縁部に露出したコンタクトがない特別な縁部用タイルやコーナー用タイルを用いることが可能である。このような縁部用タイルやコーナー用タイルは、コンタクトのない1つ以上の縁部を持つことになろう。一般に、このような縁部用タイルやコーナー用タイルは、2セット以上のコンタクトをそれでも備えることになろう。しかし特別ないくつかの場合（例えば直線状のタイル・アレイ）には、アメリカ合衆国特許第6,565,231号に記載されているように、端部のタイルはコンタクトを2つだけ備えることになろう。
【００２１】
図12は、タイル5を支持するとともに電気的接続を提供するための背面プレート85を利用した別の一実施態様である。背面プレート上の導電体とコンタクトは、少なくとも1つのタイル上のコンタクトに電流を供給する。コンタクト96は、1つのタイルから隣接するタイルへの電気的接続を提供する。図12では、水平な相互接続だけが示してある。しかし当業者であれば、タイル間の他の接続パターンが可能であることも容易に理解できよう。背面プレートは、堅固でも、可撓性があっても、連結式でもよい。連結は、回転方向、横方向、または両方の組み合わせが可能である。保持部材90が、タイルを背面プレートに物理的に保持する。これら保持部材は、さまざまな形態のものが可能であろう。タイルに引っ掛けるスナップ式クリップや、タイル上の特徴部に合致するラッチが可能であろう。タイルを頻繁に構成し直すような用途では、保持部材をフックとループ・ファブリック（例えばベルクロ（登録商標））にすることができよう。用途によっては、タイルを背面プレートに永続的に接着することができよう。数多くの他の保持システムが存在している。例えば、押して捻る保持部材、ネジなどがある。この明細書の初めのほうに開示した実施態様におけるように、タイルは複数の発光領域を備えることができ、場合によっては各領域を個別に制御できる。タイルは、制御装置と、制御装置インターフェイスを備えることができ、背面プレート上の信号を通じて個別にアドレスすることが可能である。制御装置を備えるタイルでは、背面プレートに制御装置用コンタクトと接触する追加導電体を設けることで、異なるタイル上の制御装置と通信できるようにすること、または場合によっては存在している背面プレート制御装置95と通信できるようにすることができる。ここに示した背面プレートは正方形であって正方形のタイルを使用しているが、背面プレートを別の形状にして対応する形のタイルを支持することができる。あるいは背面プレートは、多数の異なった形のタイルを使用できるような設計にすることさえ可能である。
【００２２】
図14は別の一実施態様の概略図であり、個々のタイルがバッテリー56を備えている。この実施態様は、タイル式フラット・パネル照明システムを子どもが使用する場合に特に有用である。というのも、危険な壁面電流源が取り除かれているからである。この実施態様は、配線電源が利用できない場所で利用する際にも有用である。すべてのタイルがバッテリーを備えているわけではない場合には特に、隣接するタイルへのコンタクト10を利用してタイル間で電力を共有することができる。さらに、電力は外部電源からコンタクト（と、おそらく間に挟まるタイル）を通じて充電可能なバッテリー（存在している場合）に充電することができる。図15は、バッテリー56と、制御装置50と、制御装置用コンタクト55とを備えるタイルの別の一実施態様に関する概略図である。この実施態様では、タイル間に電力を分配するためのコンタクトがタイルの縁部に存在していない。
【００２３】
図16には、携帯式光源を作る際に本発明をどのように利用したらよいかが示してある。この実施態様では、3つのタイル5と1つのバッテリー56がヒンジ式コネクタ60を通じて互いに接続されている。ヒンジ式コネクタ60により、この組立体を、バッグやポケットに入れて容易に持ち運べるコンパクトな平坦な形状に折り畳むことができる。扇のように折り畳むこの構成は、広げて多数のパネルにすることや、折り畳んでより少数のパネルにすることができる。バッテリーは、図14に示したようにして発光タイルに組み込むこと、またはコネクタを通じて発光タイルと一時的に背中合わせに付着させることができよう。あるいは1つのタイル全体を、コネクタに合った形状の部材とコンタクトを備えるバッテリーと交換することができよう。図10のコネクタがヒンジ式になっている場合には、この構成を三つ折りの構成として見ることもできよう。携帯式光源を折り畳めるようにするコネクタとしては、ヒンジ式コネクタ、または可撓性のあるコネクタが可能であり、表面にタイルを取り付けた可撓性のある背面プレートさえ可能である。タイルは、携帯式光源の両側から光が出るように取り付けることができる。折り畳み機構はさらに、広げた構成の携帯ランプを堅固にするロック機構を備えることができる。
【００２４】
図17a、図17b、図17cには折り畳みの別の実施態様が示してあり、携帯ランプはヒンジ式の4つのタイルで構成されていて、組立体をゲーム板のように折り畳むことで、広げた組立体の1/4の面積にすることが可能である。図を見やすくするためコネクタは省略してあるが、図16におけるようにヒンジ式コネクタにすることができよう。このユニットのためのバッテリーは、タイルまたはコネクタに組み込むこと、または1つ以上のタイルと背中合わせになったサンドイッチ構造にすること、またはタイルの1枚と置換することができよう。扇のように折り畳む構成に関して図16で指摘したように、この構成を実現する多数の方法がある。例えばヒンジ式コネクタ、可撓性のあるコネクタ、ヒンジ式背面プレート、可撓性のある背面プレートなどである。同様に、この構成は両面から光を出すことができ、広げたパネルを保持するロック機構を備えることができる。
【００２５】
好ましい一実施態様では、1988年9月6日にTangらに付与されて譲受人に譲渡された「変化させた薄膜ルミネッセンス領域を有するエレクトロルミネッセンス・デバイス」という名称のアメリカ合衆国特許第4,769,292号と、1991年10月29日にVanSlykeらに付与されて譲受人に譲渡された「有機エレクトロルミネッセンス媒体を含むエレクトロルミネッセンス・デバイス」という名称のアメリカ合衆国特許第5,061,569号に開示されている小分子OLED材料またはポリマーOLED材料からなる有機発光ダイオード（OLED）を備えるデバイスで本発明を利用する。有機発光材料の多くの組み合わせやバリエーションを用いてこのようなデバイスを製造することができる。
【００２６】
基板
【００２７】
本発明のOLED装置は支持用基板の上に形成されて、カソードまたはアノードが基板と接触できるようになっているのが一般的である。基板と接触する電極は、通常、底部電極と呼ばれる。底部電極はアノードであることが一般的であるが、本発明がこの構成に限定されることはない。基板は、どの方向に光を出したいかに応じ、透光性または不透明にすることができる。透光特性は、基板を通してEL光を見る上で望ましい。その場合には、透明なガラスまたはプラスチックが一般に用いられる。EL光を上部電極を通じて見るような用途では、底部支持体の透過特性は重要でないため、底部支持体は、光透過性、光吸収性、光反射性のいずれでもよい。この場合に用いる基板としては、ガラス、プラスチック、半導体材料、シリコン、セラミック、回路板材料などがある。基板、アノード、カソードのうちの任意の1つ以上を透明にすることができる。
【００２８】
アノード
【００２９】
EL光をアノードを通して見る場合には、アノードは、興味の対象となる光に対して透明か、実質的に透明である必要がある。本発明で用いられる透明なアノード用の一般的な材料は、インジウム-スズ酸化物（ITO）、インジウム-亜鉛酸化物（IZO）、スズ酸化物であるが、他の金属酸化物（例えばアルミニウムをドープした亜鉛酸化物、インジウムをドープした亜鉛酸化物、マグネシウム-インジウム酸化物、ニッケル-タングステン酸化物）も可能である。これら酸化物に加え、金属窒化物（例えば窒化ガリウム）、金属セレン化物（例えばセレン化亜鉛）、金属硫化物（例えば硫化亜鉛）をアノードとして用いることができる。EL光をカソードだけを通して見るような用途では、アノードの透過特性は重要でなく、あらゆる導電性材料（透明なもの、不透明なもの、反射性のもの）を使用することができる。この用途での具体的な導電性材料としては、金、イリジウム、モリブデン、パラジウム、白金などがある。典型的なアノード用材料は、透光性であろうとそうでなかろうと、仕事関数が4.1eV以上である。望ましいアノード用材料は、一般に適切な任意の手段（例えば蒸着、スパッタリング、化学蒸着、電気化学的手段）で堆積させる。アノードは、よく知られているフォトリソグラフィ法を利用して、または形成中にシャドウ・マスクを用いてパターニングすることができる。
【００３０】
正孔注入層（HIL）
【００３１】
正孔注入層をアノードと発光層の間に設けると有用であることがしばしばある。正孔注入層は、後に続く有機層の膜形成能力を向上させ、正孔を正孔輸送層に容易に注入できるようにする機能を持つことができる。正孔注入層で使用するのに適した材料としては、譲受人に譲渡されたアメリカ合衆国特許第4,720,432号に記載されているポルフィリン化合物や、譲受人に譲渡されたアメリカ合衆国特許第6,208,075号に記載されているプラズマ堆積させたフルオロカーボン・ポリマーなどがある。有機ELデバイスにおいて有用であることが報告されている別の正孔注入材料は、ヨーロッパ特許出願公開第0,891,121 A1号と第1,029,909 A1号に記載されている。
【００３２】
正孔輸送層（HTL）
【００３３】
正孔輸送層は、少なくとも1つの正孔輸送化合物（例えば芳香族第三級アミン）を含んでいる。芳香族第三級アミンは、炭素原子（そのうちの少なくとも1つは芳香族環のメンバーである）だけに結合する少なくとも1つの3価窒素原子を含んでいる化合物であると理解されている。芳香族第三級アミンの1つの形態は、アリールアミン（例えばモノアリールアミン、ジアリールアミン、トリアリールアミン、ポリマー・アリールアミン）である。具体的なモノマー・トリアリールアミンは、Klupfelらによってアメリカ合衆国特許第3,180,730号に示されている。1個以上のビニル基で置換された他の適切なトリアリールアミン、および／または少なくとも1つの活性な水素含有基を含む他の適切なトリアリールアミンは、Brantley他により、譲受人に譲渡されたアメリカ合衆国特許第3,567,450号と第3,658,520号に開示されている。
【００３４】
芳香族第三級アミンのより好ましいクラスは、譲受人に譲渡されたアメリカ合衆国特許第4,720,432号と第5,061,569号に記載されているような少なくとも2つの芳香族第三級アミン部分を含むものである。正孔輸送層は、単一の芳香族第三級アミン化合物で形成すること、または芳香族第三級アミン化合物の混合物で形成することができる。有用な芳香族第三級アミンの代表例としては、以下のものがある。
1,1-ビス(4-ジ-p-トリルアミノフェニル)シクロヘキサン
1,1-ビス(4-ジ-p-トリルアミノフェニル)-4-フェニルシクロヘキサン
4,4'-ビス(ジフェニルアミノ)クアドリフェニル
ビス(4-ジメチルアミノ-2-メチルフェニル)フェニルメタン
N,N,N-トリ(p-トリル)アミン
4-(ジ-p-トリルアミノ)-4'-[4(ジ-p-トリルアミノ)-スチリル]スチルベン
N,N,N',N'-テトラ-p-トリル-4,4'-ジアミノビフェニル
N,N,N',N'-テトラフェニル-4,4'-ジアミノビフェニル
N,N,N',N'-テトラ-1-ナフチル-4,4'-ジアミノビフェニル
N,N,N',N'-テトラ-2-ナフチル-4,4'-ジアミノビフェニル
N-フェニルカルバゾール
4,4'-ビス[N-(1-ナフチル)-N-フェニルアミノ]ビフェニル
4,4'-ビス[N-(1-ナフチル)-N-(2-ナフチル)アミノ]ビフェニル
4,4"-ビス[N-(1-ナフチル)-N-フェニルアミノ]p-テルフェニル
4,4'-ビス[N-(2-ナフチル)-N-フェニルアミノ]ビフェニル
4,4'-ビス[N-(3-アセナフテニル)-N-フェニルアミノ]ビフェニル
1,5-ビス[N-(1-ナフチル)-N-フェニルアミノ]ナフタレン
4,4'-ビス[N-(9-アントリル)-N-フェニルアミノ]ビフェニル
4,4"-ビス[N-(1-アントリル)-N-フェニルアミノ]-p-テルフェニル
4,4'-ビス[N-(2-フェナントリル)-N-フェニルアミノ]ビフェニル
4,4'-ビス[N-(8-フルオランテニル)-N-フェニルアミノ]ビフェニル
4,4'-ビス[N-(2-ピレニル)-N-フェニルアミノ]ビフェニル
4,4'-ビス[N-(2-ナフタセニル)-N-フェニルアミノ]ビフェニル
4,4'-ビス[N-(2-ペリレニル)-N-フェニルアミノ]ビフェニル
4,4'-ビス[N-(1-コロネニル)-N-フェニルアミノ]ビフェニル
2,6-ビス(ジ-p-トリルアミノ)ナフタレン
2,6-ビス[ジ-(1-ナフチル)アミノ]ナフタレン
2,6-ビス[N-(1-ナフチル)-N-(2-ナフチル)アミノ]ナフタレン
N,N,N',N'-テトラ(2-ナフチル)-4,4"-ジアミノ-p-テルフェニル
4,4'-ビス｛N-フェニル-N-[4-(1-ナフチル)-フェニル]アミノ｝ビフェニル
4,4'-ビス[N-フェニル-N-(2-ピレニル)アミノ]ビフェニル
2,6-ビス[N,N-ジ(2-ナフチル)アミン]フルオレン
1,5-ビス[N-(1-ナフチル)-N-フェニルアミノ]ナフタレン
【００３５】
有用な正孔輸送材料の別のクラスとして、ヨーロッパ特許第1,009,041号に記載されている多環式芳香族化合物がある。さらに、ポリマー正孔輸送材料を使用することができる。それは、例えば、ポリ(N-ビニルカルバゾール)（PVK）、ポリチオフェン、ポリピロール、ポリアニリン、コポリマー（例えばポリ(3,4-エチレンジオキシチオフェン)／ポリ(4-スチレンスルホネート)（PEDOT/PSSとも呼ばれる））などである。
【００３６】
発光層（LEL）
【００３７】
アメリカ合衆国特許第4,769,292号、第5,935,721号により詳しく説明されているように、有機EL素子の発光層（LEL）は発光材料または蛍光材料を含んでおり、この領域で電子-正孔対の再結合が起こる結果としてエレクトロルミネッセンスが生じる。発光層は単一の材料で構成できるが、より一般的には、1つまたは複数のゲスト化合物をドープしたホスト材料からなる。光は主として発光材料から発生し、任意の色が可能である。発光層内のホスト材料は、以下に示す電子輸送材料、または上記の正孔輸送材料、または正孔-電子再結合をサポートする別の単一の材料または組み合わせた材料にすることができる。ドーパントは、通常は強い蛍光染料の中から選択されるが、リン光化合物（例えばWO 98/55561、WO 00/18851、WO 00/57676、WO 00/70655に記載されている遷移金属錯体）も有用である。ドーパントは、一般に、0.01〜10質量％の割合でホスト材料に組み込まれる。ポリマー材料（ポリフルオレンやポリビニルアリーレン（例えばポリ(p-フェニレンビニレン)、PPV）など）もホスト材料として用いることができる。この場合、小分子ドーパントは、ホスト・ポリマーの中に分子として分散させること、またはドーパントを微量成分とコポリマー化してホスト・ポリマーに添加することができる。
【００３８】
ドーパントとして染料を選択する際の重要な1つの関係は、分子の最高被占軌道と最低空軌道のエネルギー差として定義されるバンドギャップ電位の比較である。ホスト材料からドーパント分子にエネルギーが効率的に移動するための必要条件は、ドーパントのバンドギャップがホスト材料のバンドギャップよりも小さいことである。
【００３９】
有用であることが知られているホスト分子および発光分子としては、譲受人に譲渡されたアメリカ合衆国特許第4,768,292号、第5,141,671号、第5,150,006号、第5,151,629号、第5,405,709号、第5,484,922号、第5,593,788号、第5,645,948号、第5,683,823号、第5,755,999号、第5,928,802号、第5,935,720号、第5,935,721号、第6,020,078号に開示されているものなどがある。
【００４０】
8-ヒドロキシキノリン（オキシン）の金属錯体と、それと同様の誘導体は、エレクトロルミネッセンスをサポートすることのできる有用なホスト化合物の1つのクラスを形成する。有用なキレート化オキシノイド系化合物の代表例としては、以下のものがある。
CO-1：アルミニウムトリスオキシン［別名、トリス(8-キノリノラト)アルミニウム(III)］
CO-2：マグネシウムビスオキシン［別名、ビス(8-キノリノラト)マグネシウム(II)］
CO-3：ビス[ベンゾ｛f｝-8-キノリノラト]亜鉛(II)
CO-4：ビス(2-メチル-8-キノリノラト)アルミニウム(III)-μ-オキソ-ビス(2-メチル-8-キノリノラト)アルミニウム(III)
CO-5：インジウムトリスオキシン［別名、トリス(8-キノリノラト)インジウム］
CO-6：アルミニウムトリス(5-メチルオキシン)［別名、トリス(5-メチル-8-キノリノラト)アルミニウム(III)］
CO-7：リチウムオキシン［別名、(8-キノリノラト)リチウム(I)］
CO-8：ガリウムオキシン［別名、トリス(8-キノリノラト)ガリウム(III)］
CO-9：ジルコニウムオキシン［別名、テトラ(8-キノリノラト)ジルコニウム(IV)］
【００４１】
有用なホスト材料の別のクラスとして、アントラセン（例えば9,10-ジ-(2-ナフチル)アントラセン）とその誘導体、アメリカ合衆国特許第5,121,029号に記載されているジスチリルアリーレン誘導体、ベンズアゾール誘導体（例えば2,2',2"-(1,3,5-フェニレン)トリス[1-フェニル-1H-ベンゾイミダゾール]）などがある。
【００４２】
有用な蛍光ドーパントとしては、アントラセン、テトラセン、キサンテン、ペリレン、ルブレン、クマリン、ローダミン、キナクリドンの誘導体や、ジシアノメチレンピラン化合物、チオピラン化合物、ポリメチン化合物、ピリリウム化合物、チアピリリウム化合物、フルオレン誘導体、ペリフランテン誘導体、カルボスチリル化合物などがある。
【００４３】
電子輸送層（ETL）
【００４４】
本発明にょる有機EL素子の電子輸送層を形成する際に用いる望ましい薄膜形成材料は、金属キレート化オキシノイド化合物である。その中には、オキシンそのもの（一般に、8-キノリノールまたは8-ヒドロキシキノリンとも呼ばれる）も含まれる。このような化合物は、電子を注入して輸送するのを助け、高レベルの性能を示し、薄膜の形態にするのが容易である。具体的なオキシノイド化合物はすでに例示した。
【００４５】
他の電子輸送材料としては、譲受人に譲渡されたアメリカ合衆国特許第4,356,429号に記載されているさまざまなブタジエン誘導体や、譲受人に譲渡されたアメリカ合衆国特許第4,539,507号に記載されているさまざまな複素環式蛍光増白剤がある。ベンズアゾールとトリアジンも、有用な電子輸送材料である。
【００４６】
発光層と電子輸送層を単一の層にし、発光と電子輸送の両方をサポートする機能を担わせることができる場合がある。これらの層は、両方とも、小分子OLED系とポリマーOLED系にすることができる。例えばポリマー系では、正孔輸送層（例えばPEDOT-PSS）をポリマー発光層（例えばPPV）とともに用いるのが一般的である。この系では、PPVが発光と電子輸送の両方をサポートする機能を担う。
【００４７】
カソード
【００４８】
アノードだけを通して光を見る場合には、本発明で使用するカソードは、ほぼ任意の導電性材料で構成することができる。望ましい材料は優れた膜形成特性を有するため、下にある有機層との接触がよくなり、低電圧で電子の注入が促進され、優れた安定性を得ることができる。有用なカソード材料は、仕事関数が小さな（4.0eV未満）金属または合金を含んでいることがしばしばある。有用な1つのカソード材料は、アメリカ合衆国特許第4,885,221号に記載されているように、銀が1〜20％の割合で含まれたMg：Ag合金からなる。適切なカソード材料の別のクラスとして、有機層（例えば電子輸送層（ETL））に接触する薄い電子注入層（EIL）を備えていて、その上により厚い導電性金属層を被せた構成の二層がある。その場合、EILは、仕事関数が小さな金属または金属塩を含んでいることが好ましく、そうなっている場合には、より厚い被覆層は仕事関数が小さい必要がない。このような1つのカソードは、アメリカ合衆国特許第5,677,572号に記載されているように、LiFからなる薄い層と、その上に載るより厚いAl層からなる。他の有用なカソード材料としては、アメリカ合衆国特許第5,059,861号、第5,059,862号、第6,140,763号に開示されているものがあるが、これだけに限定されるわけではない。
【００４９】
カソードを通して発光を見る場合、カソードは、透明であるか、ほぼ透明である必要がある。このような用途のためには、金属が薄いか、透明な導電性酸化物を使用するか、このような材料の組み合わせを使用する必要がある。光学的に透明なカソードは、アメリカ合衆国特許第4,885,211号、第5,247,190号、第5,703,436号、第5,608,287号、第5,837,391号、第5,677,572号、第5,776,622号、第5,776,623号、第5,714,838号、第5,969,474号、第5,739,545号、第5,981,306号、第6,137,223号、第6,140,763号、第6,172,459号、第6,278,236号、ヨーロッパ特許第1,076,368号、日本国特許第3,234,963号に、より詳細に記載されている。カソード材料は、一般に、蒸着、スパッタリング、化学蒸着いずれかの方法によって堆積させる。必要な場合には、よく知られた多数の方法でパターニングすることができる。方法としては、例えば、スルー・マスク蒸着、アメリカ合衆国特許第5,276,380号とヨーロッパ特許第0,732,868号に記載されている一体化シャドウ・マスキング、レーザー除去、選択的化学蒸着などがある。
【００５０】
有機層の堆積
【００５１】
上記の有機材料は、気相法（例えば昇華）で堆積させることが好ましいが、流体（溶媒）から堆積させることもできる。溶媒を用いるのであれば、場合によっては結合剤も用いて膜の形成を改善する。材料がポリマーである場合には、溶媒堆積が有用であるが、他の方法（例えばスパッタリング、ドナー・シートからの熱転写）も利用することができる。昇華によって堆積させる材料は、タンタル材料からなることの多い昇華用“ボート”から気化させること（例えば譲受人に譲渡されたアメリカ合衆国特許第6,237,529号に記載されている）や、まず最初にドナー・シートにコーティングし、次いで基板のより近くで昇華させることができる。混合材料からなる層では、別々の昇華用ボートを用いること、または材料をあらかじめ混合し、単一のボートまたはドナー・シートからコーティングすることができる。パターニングした堆積は、シャドウ・マスク、一体化シャドウ・マスク（譲受人に譲渡されたアメリカ合衆国特許第5,294,870号）、ドナー・シートからの空間的に限定された染料熱転写（譲受人に譲渡されたアメリカ合衆国特許第5,851,709号、第6,066,357号）、インクジェット法（譲受人に譲渡されたアメリカ合衆国特許第6,066,357号）を利用して実現することができる。
【００５２】
封入
【００５３】
たいていのOLEDデバイスは、水分と酸素の一方または両方に敏感であるため、一般に不活性雰囲気（例えば窒素やアルゴン）中で、乾燥剤（例えばアルミナ、ボーキサイト、硫酸カルシウム、粘土、シリカゲル、ゼオライト、アルカリ金属酸化物、アルカリ土類金属酸化物、硫酸塩、ハロゲン化金属、過塩素酸塩）とともに密封される。封入と乾燥のための方法としては、アメリカ合衆国特許第6,226,890号に記載されている方法などがある。さらに、障壁層（例えばSiOx、テフロン（登録商標））や、交互に積層された無機層／ポリマー層が、封入法として知られている。
【図面の簡単な説明】
【００５４】
【図１】本発明の一実施態様による単一のフラット・パネル光源タイルである。
【図２】図1に示したタイルの電気回路の概略図である。
【図３ａ】図1に示したタイルを用いて実現できる平坦な構成である。
【図３ｂ】図1に示したタイルを用いて実現できる平坦な構成である。
【図３ｃ】図1に示したタイルを用いて実現できる平坦な構成である。
【図３ｄ】図1に示したタイルを用いて実現できる平坦な構成である。
【図４】本発明による第2の実施態様の平面図と断面図である。
【図５】本発明による第3の実施態様の平面図と断面図である。
【図６】本発明による第4の実施態様の概略図である。
【図７】本発明による第5の実施態様の概略図である。
【図８】本発明による第6の実施態様の概略図である。
【図９】本発明による第7の実施態様の斜視図である。
【図１０】本発明による第8の実施態様の斜視図である。
【図１１】本発明による第9の実施態様の斜視図である。
【図１２】本発明による第10の実施態様の平面図である。
【図１３】縁部保護部材の斜視図である。
【図１４】本発明による第11の実施態様の概略図である。
【図１５】本発明による第12の実施態様の概略図である。
【図１６】携帯式光源としての本発明の一実施態様の斜視図である。
【図１７ａ】携帯式光源としての本発明の別の一実施態様の斜視図である。
【図１７ｂ】携帯式光源としての本発明の別の一実施態様の斜視図である。
【図１７ｃ】携帯式光源としての本発明の別の一実施態様の斜視図である。
【符号の説明】
【００５５】
5    フラット・パネル光源タイル
10    電気的コンタクト
15    発光領域
20    ターミネータ
25    電力線
30    シール
35    基板
40    カバー
45    フレーム
50    制御装置
51    制御装置インターフェイス
55    制御装置用コンタクト
56    バッテリー
60    コネクタ
61    導電体
65    タイル式フラット・パネル・ランプ
70    導電体
75    凹部領域
80    凸部領域
85    背面プレート
90    保持部材
95    背面プレート用制御装置
96    背面プレート用コンタクト
100    絶縁性縁部保護部材
【図１】
2007536708.tif 000003
【図２】
2007536708.tif 000004
【図３ａ】
2007536708.tif 000005
【図３ｂ】
2007536708.tif 000006
【図３ｃ】
2007536708.tif 000007
【図３ｄ】
2007536708.tif 000008
【図４Ａ】
2007536708.tif 000009
【図４Ｂ】
2007536708.tif 000010
【図５Ａ】
2007536708.tif 000011
【図５Ｂ】
2007536708.tif 000012
【図６】
2007536708.tif 000013
【図７】
2007536708.tif 000014
【図８】
2007536708.tif 000015
【図９】
2007536708.tif 000016
【図１０】
2007536708.tif 000017
【図１１】
2007536708.tif 000018
【図１２】
2007536708.tif 000019
【図１３】
2007536708.tif 000020
【図１４】
2007536708.tif 000021
【図１５】
2007536708.tif 000022
【図１６】
2007536708.tif 000023
【図１７ａ】
2007536708.tif 000024
【図１７ｂ】
2007536708.tif 000025
【図１７ｃ】
2007536708.tif 000026
【国際調査報告】
2007536708.tif 000027
2007536708.tif 000028
2007536708.tif 000029